【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】  相互にワイヤレスでネットワーク化された第１および第２サブセットを含む第１の複数の装置であって、各装置は第１周波数ホッピング・プロトコルに従いワイヤレス通信を行い得ると共に、上記第１および第２サブセットは第１および第２擬似ランダムパターンに基づく第１および第２周波数ホッピング・パターンに従い動作する、第１の複数の装置と、
相互にワイヤレスでネットワーク化された第２の複数の装置であって、各装置は第２プロトコルに従いワイヤレスで通信し得る第２の複数の装置と、を備え、
上記第１の複数の装置の上記第１および第２サブセットは、動作が同期されて共通のワイヤレス装置とワイヤレスで通信しており、且つ、上記第２の複数の装置は上記第１の複数の装置の上記第１および第２サブセットの上記同期的動作に相補的に動作することにより、上記第１および第２装置間の干渉を予防的に減少させ、前記共通のワイヤレス装置は、前記第１および第２プロトコルに従い、且つ、前記第１の複数の装置の前記第１および第２サブセットの前記同期的動作に対して相補的に前記第１および第２の複数の装置とワイヤレスで通信して、上記第１および第２の複数の装置との干渉を予防的に減少させる第１および第２送受信機を備えた多重プロトコル装置を含み、
前記第１および第２サブセットは、基準信号に対して動作が同期されると共に、前記第２の複数の装置は、同一の基準信号に対して動作的に整列させられ、且つ、前記多重プロトコル装置は、前記同期に対して且つ前記基準信号に関する前記整列に対して相補的な方法で動作することで前記各装置間の干渉の前記予防的減少を実施させる制御ロジックを含み、
前記制御ロジックは前記基準信号に対する前記整列を、インクリメントして、且つ、前記制御ロジックは、送信タイムスロットとの誤整列の量に依存して少なくとも第１および第２の方法の内から選択されたひとつにより、実施させること、を特徴とするネットワーク化された装置の集合体。
【請求項２】  装置に通信的に接続された第１および第２ワイヤレスネットワークの第１および第２ネットワーク・デバイスに対して第１および第２プロトコルに従い信号を送信および受信する複数のワイヤレス送受信機であって、上記第１ネットワーク・デバイスは、同期して第１および第２擬似ランダムパターンに基づく第１および第２周波数ホッピング・パターンに従い送信および受信を行う第１および第２サブセットを備え、上記第１プロトコルは、周波数ホッピング・プロトコルである、複数のワイヤレス送受信機と、
上記第１ネットワーク・デバイスの上記第１および第２サブセットの上記同期的動作と相補的な方法で上記各ワイヤレス送受信機の動作を制御かつ協調させて、当該装置と上記第１および第２ネットワーク・デバイスとの間の干渉を減少させる、上記ワイヤレス送受信機と接続した少なくともひとつのコントローラマネージャと、を含み、
前記少なくともひとつのコントローラマネージャは、前記第１ネットワーク・デバイスの前記第１および第２サブセットが動作を同期する基準信号に対して前記ワイヤレス送受信機の送信および受信動作を整列させるロジックを含み、
前記ロジックは前記基準信号に対する前記整列を、送信タイムスロットとの誤整列の量に依存して少なくとも第１および第２の方法の内から選択されたひとつによりインクリメントして実施する、当該装置。
【請求項３】  第１および第２ワイヤレス送受信機を有する装置における動作方法であって、
周波数ホッピング・プロトコルである第１プロトコルに従い、且つ、夫々第１および第２擬似ランダムパターンに基づく第１および第２周波数ホッピング・パターンに従い第１ワイヤレスネットワークの第１ネットワーク・デバイスの第１および第２サブセットの同期的動作に相補的な方法で、上記第１ネットワーク・デバイスの上記第１および第２サブセットに対してデータを送信および受信するために上記第１ワイヤレス送受信機を制御するステップと、
第２プロトコルに従い、且つ、上記第１ネットワーク・デバイスの上記第１および第２サブセットの上記同期的動作に対して第２ワイヤレスネットワークの第２ネットワーク・デバイスの整列的動作に相補的な方法で、上記第２ネットワーク・デバイスに対してデータを送信および受信するために上記第２ワイヤレス送受信機を制御するステップと、を備え、
前記相補的な方法の制御するステップは、前記第１ネットワーク・デバイスの前記第１および第２サブセットが動作を同期する基準信号に対して前記第１および第２ワイヤレス送受信機の送信および受信動作を整列させるステップを備え、
前記基準信号に対する前記整列は、送信タイムスロットとの誤整列の量に依存して少なくとも第１および第２の方法の内から選択されたひとつでインクリメントして実施される、動作方法。
【請求項４】  相互にワイヤレスでネットワーク化された第１の複数の装置であって、各装置は、擬似ランダムパターンに基づき連続的に使用される複数の周波数から成る第１周波数ホッピング・プロトコルに従いワイヤレスで通信を行う、第１の複数の装置と、
相互にワイヤレスでネットワーク化された第２の複数の装置であって、各装置は、第２プロトコルに従いワイヤレスで通信を行う第２の複数の装置と、
それぞれ上記第１および第２プロトコルに従い第１および第２の複数の装置とワイヤレスで通信を行う多重プロトコル装置であって、上記多重プロトコル装置は更に、上記第１プロトコルに従い上記第１の複数の装置の内から選択された装置による、上記連続的周波数の内の複数の周波数にわたる長いパケットの送信の間に干渉が生ずるか否かの見込的予見を容易にすることを少なくとも含め、上記各装置間の干渉の減少を少なくとも容易にする多重プロトコル装置と、を備えたネットワーク化された装置の集合体。
【請求項５】  第１および第２ワイヤレスネットワークの第１および第２ネットワーク・デバイスに対して夫々第１および第２プロトコルに従い信号を送信および受信する少なくともひとつのワイヤレス送受信機であって、上記第１プロトコルは、擬似ランダムパターンに従い連続的に使用される複数の周波数から成る周波数ホッピング・プロトコルである、少なくともひとつの送受信機と、
上記第１プロトコルに従い上記各第１ネットワーク・デバイスの内から選択された第１ネットワーク・デバイスにより、少なくとも、上記連続的周波数の内の複数の周波数にわたる長いパケットの送信の間に干渉が生ずるか否かの見込的予見を容易にすることにより、当該装置および上記各ネットワーク・デバイス間の干渉の予防的減少を少なくとも含め、上記送信および受信の性能を制御かつ協調させるための、少なくともひとつのワイヤレス送受信機と結合した少なくともひとつのコントローラマネージャと、を備えた装置。
【請求項６】  少なくともひとつのワイヤレス送受信機と少なくともひとつのコントローラマネージャとを有する装置における動作方法であって、
第１および第２ワイヤレスネットワークの第１および第２ネットワーク・デバイスに対して夫々第１および第２プロトコルに従い信号を送信および受信する上記少なくともひとつのワイヤレス送受信機を制御するステップであって、上記第１プロトコルは、擬似ランダムパターンに従い連続的に使用される複数の周波数から成る周波数ホッピング・プロトコルであるステップと、
上記第１プロトコルに従い上記各第１ネットワーク・デバイスの内から選択された第１ネットワーク・デバイスにより、少なくとも、上記連続的周波数の内の複数の周波数にわたる長いパケットの送信の間に干渉が生ずるか否かの見込的予見を容易にすることにより、上記装置および上記各ネットワーク・デバイス間の干渉の予防的減少を少なくとも容易にするステップと、を備えた動作方法。